(57)【要約】  本発明は、皮膚にチップモジュールを接触させながらソリューションを噴射すると同時に、周辺の空気及び皮膚から抜け出る老廃物などの物質を吸入させ、痛み及び傷跡などを誘発するニードルを用いなくても、所定のソリューションを用いて皮膚に対する洗浄や皮膚改善などの効果が得られるようにする皮膚美容装置のハンドピースを提供するためのものである。さらに、本発明は、皮膚に対するソリューションの噴射・注入がさらに効果的に行われ、皮膚改善効果をさらに増大させるように皮膚に接触するチップモジュールを回転させながらも、その回転するチップモジュールを介してソリューションが安定的に噴射できるように構成される皮膚美容装置のハンドピースを提供するためのものである。
2019515760.tif 000002
【特許請求の範囲】
【請求項１】
一側に着脱ホールを備えており、前記着脱ホールと連通するソリューション流入部及び空気排出部を形成する胴体部と、
前記胴体部の着脱ホールに装着されて使用される使い捨てのチップモジュールと、を含んで構成され、
前記チップモジュールは、
前記着脱ホールに着脱可能に装着されるシリンダー胴体と、前記シリンダー胴体の内部に中空内部を有する内部シリンダーと、を備えており、
前記チップモジュールが前記着脱ホールに装着されたとき、前記内部シリンダーの中空内部が前記ソリューション流入部と連通するように構成され、前記内部シリンダーの中空内部が、前記ソリューション流入部から流入するソリューションが流動するソリューション注入流路として形成され、外部の吸入ポンプの駆動によって前記シリンダー胴体と前記内部シリンダーとの間に空気が流動しながら前記空気排出部に排出されるようにする空気吸入流路が形成されるように構成され、
前記内部シリンダーの端部に備えられ、前記ソリューション注入流路を流動するソリューションを外部に噴射させるソリューション噴射部を含み、
前記チップモジュールの端部が皮膚に接触し、前記ソリューション噴射部を介して前記ソリューションを前記皮膚に噴射・注入しながら周辺の空気及び前記皮膚から抜け出る物質が前記吸入ポンプの駆動によって前記空気吸入流路を介して吸入されてから前記空気排出部に排出されるように構成されることを特徴とする皮膚美容装置のハンドピース。
【請求項２】
前記シリンダー胴体は、
前記シリンダー胴体の円周方向の周囲に装着される第１シーリング部材及び第２シーリング部材と、前記第１シーリング部材と第２シーリング部材との間に形成される溝部と、前記溝部に形成され、前記内部シリンダーの中空内部と連通するように形成される少なくとも一つの連通ホールと、を含み、
前記チップモジュールが前記着脱ホールに装着されたとき、前記第１シーリング部材及び第２シーリング部材によって密閉され、前記ソリューションの流入部が前記溝部と連通することによって、前記ソリューション流入部を介して流入するソリューションが、前記溝部から前記連通ホールを介して前記内部シリンダーの中空内部の前記ソリューション注入流路に流入するように構成されることを特徴とする、請求項１に記載の皮膚美容装置のハンドピース。
【請求項３】
前記シリンダー胴体は、
前記チップモジュールが前記着脱ホールに装着されたとき、前記着脱ホールの外部に露出する露出部と、
前記露出部の端部に内側段差を有して形成される段差部と、を含み、
前記内部シリンダーの端部と前記段差部との間に長さ方向に沿って前記空気吸入流路が形成され、
前記皮膚に前記露出部の端部が接触し、前記吸入ポンプの駆動によって前記空気吸入流路を介して空気が吸入されることによって、前記段差部に陰圧が形成され、前記皮膚が前記陰圧によって引っ張られながら前記内部シリンダーの端部及び前記ソリューション噴射部に密着するように構成されることを特徴とする、請求項１に記載の皮膚美容装置のハンドピース。
【請求項４】
前記ソリューション噴射部は、
前記ソリューション注入流路を塞ぐように前記内部シリンダーの端部に圧入される圧入部材を含み、
前記圧入部材の長さ方向に沿って少なくとも一つの溝として形成される注入溝部を備えており、前記ソリューション注入流路で流動するソリューションが前記圧入部材の注入溝部を介して外部に噴射されるように構成されることを特徴とする、請求項１に記載の皮膚美容装置のハンドピース。
【請求項５】
前記ソリューション噴射部は、
少なくとも一つの噴射ホールを形成し、前記内部シリンダーの端部に結合され、前記ソリューション注入流路で流動するソリューションが前記噴射ホールを介して外部に噴射されるようにする結合キャップを含むことを特徴とする、請求項１に記載の皮膚美容装置のハンドピース。
【請求項６】
前記内部シリンダーの端部は閉鎖されるように構成され、
前記ソリューション噴射部は、
前記内部シリンダーの閉鎖された端部に形成される少なくとも一つの噴射ホールを含み、前記ソリューション注入流路で流動するソリューションが前記噴射ホールを介して外部に噴射されるように構成されることを特徴とする、請求項１に記載の皮膚美容装置のハンドピース。
【請求項７】
前記胴体部の他側に備えられ、駆動軸を回転させる駆動モーターと、
前記駆動軸に結合され、前記駆動軸と共に回転し、その端部に前記チップモジュールが結合される軸結合部と、を含み、
前記駆動モーターの駆動により、前記駆動軸によって前記軸結合部が回転しながら前記軸結合部に結合された前記チップモジュールを回転させ、
前記チップモジュールの端部が皮膚に接触した状態で前記チップモジュールが回転しながら前記ソリューション流入部を介して流入するソリューションは、前記溝部から前記連通ホールを介して前記ソリューション注入流路に流入してから前記ソリューション噴射部を介して前記皮膚に噴射・注入されるように構成されることを特徴とする、請求項２に記載の皮膚美容装置のハンドピース。
【請求項８】
前記内部シリンダーの端部及び前記ソリューション噴射部の端部のうち少なくとも一つに形成され、前記チップモジュールの回転と共に前記皮膚の角質と摩擦を起こし、前記角質を剥がせる摩擦表面をさらに含むことを特徴とする、請求項７に記載の皮膚美容装置のハンドピース。
【発明の詳細な説明】
【技術分野】
【０００１】
本発明は、皮膚美容装置のハンドピースに関し、より詳細には、皮膚美容のための所定のソリューションが噴射されながら皮膚の内部に注入できるようにし、皮膚の洗浄及び皮膚美容に良い薬物の注入などを可能にする皮膚美容装置に用いられるハンドピースに関する。
【背景技術】
【０００２】
近年、老若男女を問わず、皮膚に対する関心が増幅するにつれて、皮膚管理と関係する多様な装置が開発されると同時に、皮膚と関連する病院及び皮膚管理施術企業が多く発生している。
【０００３】
最近に最も広く知られている皮膚施術方法は、マイクロニードル施術と従来のフラクショナルレーザー施術とが結合された方法である。また、この方法は、非常に微細な針（マイクロニードル）を皮膚に挿入することによって治療柱を作ると同時に、高周波（ＲＦ）を提供することによって皮膚内に局所的な熱損傷を加え、上皮から真皮に至るまでの皮膚の再生を促進させるための微細な傷を作り、この微細な傷が細胞の成長因子を誘導し、皮膚の自然治癒及び再生を極大化する方法である。
【０００４】
通常、高周波を提供するための電極としての役割をするマイクロニードルを介して高周波を人体組織に加えると、マイクロニードル周囲の組織内部で高周波による摩擦熱が発生し、真皮層にコラーゲン成分を堅固に固めると同時に、新たなコラーゲンの形成を促進するようになり、その結果、シワが伸ばされ、毛穴が縮小され、皮膚を改善するようになる。
【０００５】
上述した皮膚施術方法は、表皮に火傷を負わせることなく、目的とする部位に高い熱エネルギーを伝達することによってコラーゲン及び弾力繊維を再生させることができ、ニキビ、ニキビ跡、細かいシワ、深いシワ、毛穴縮小治療に非常に効果的な方法として知られている。また、上述した皮膚施術方法は、血液循環を円滑にし、脂肪層の燃焼を促進させ、リンパ系の活動を活性化させることによって肥満治療を可能にする。
【０００６】
上述した皮膚施術を可能にする皮膚美容治療装置は、特許登録第１０−０９４６３６３号（２０１０．０３．０２．）に公開されているように、高周波発振部が備えられた本体と、本体に一端が接続されるケーブルと、ケーブルの他端に結合され、先端には本体の周波数発振部と電気的に連結され、皮膚内に挿入されながら高周波を提供する多数のマイクロニードルが一体に線形移動可能に設置されるハンドピースとを含んで構成される。
【０００７】
マイクロニードルは、ケーブルによって周波数発振部と連結される印刷回路基板に一定間隔を置いて離隔した状態で結合され、そのうちの一部は（＋）極の電極として作用し、残りの一部は（−）極の電極として作用するように構成される。
【０００８】
しかし、従来のマイクロニードルの場合は、施術を要する皮膚組織の表面が平面ではなく、曲面であるにもかかわらず、多数のマイクロニードルが同一の長さに形成されることによって、そのうちの一部のマイクロニードルは、皮膚内に挿入されながら高周波を提供するが、残りの一部のマイクロニードルは、皮膚内に完全に挿入されないので、却って皮膚が熱によって損傷するという問題を有していた。
【０００９】
上述したように、従来の皮膚改善のための各装置は、複雑な構造をなすと同時に、それぞれ特有の短所を有しており、より単純な構成を有しながら安定的な作動が可能な皮膚洗浄装置の開発が必要であった。
【先行技術文献】
【特許文献】
【００１０】
【特許文献１】韓国登録実用新案２０−０４１２６８９（２００６．０３．２３）
【特許文献２】韓国登録特許１０−１４３７５６３（２０１４．０８．２８）
【発明の概要】
【発明が解決しようとする課題】
【００１１】
本発明は、皮膚にチップモジュールを接触させながらソリューションを噴射すると同時に、周辺の空気及び皮膚から抜け出る老廃物などの物質を吸入させ、痛みや傷跡などを誘発するニードルを用いなくても、所定のソリューションを用いて皮膚に対する洗浄や皮膚改善などの効果が得られるようにする皮膚美容装置のハンドピースを提供するためのものである。
【００１２】
さらに、本発明は、皮膚に対するソリューションの噴射・注入がさらに効果的に行われ、皮膚改善効果をさらに増大させるように皮膚に接触するチップモジュールを回転させながらも、その回転するチップモジュールを介してソリューションが安定的に噴射できるようにする皮膚美容装置のハンドピースを提供するためのものである。
【課題を解決するための手段】
【００１３】
本発明の一実施例に係る皮膚美容装置のハンドピースは、一側に着脱ホールを備えており、前記着脱ホールと連通するソリューション流入部及び空気排出部を形成する胴体部と、前記胴体部の着脱ホールに装着されて使用される使い捨てのチップモジュールとを含んで構成され、前記チップモジュールは、前記着脱ホールに着脱可能に装着されるシリンダー胴体と、前記シリンダー胴体の内部に中空内部を有する内部シリンダーとを備えており、前記チップモジュールが前記着脱ホールに装着されたとき、前記内部シリンダーの中空内部が前記ソリューション流入部と連通するように構成され、前記内部シリンダーの中空内部が、前記ソリューション流入部から流入するソリューションが流動するソリューション注入流路として形成され、外部の吸入ポンプの駆動によって前記シリンダー胴体と前記内部シリンダーとの間に空気が流動しながら前記空気排出部に排出されるようにする空気吸入流路が形成されるように構成され、前記内部シリンダーの端部に備えられ、前記ソリューション注入流路を流動するソリューションを外部に噴射させるソリューション噴射部を含み、前記チップモジュールの端部が皮膚に接触し、前記ソリューション噴射部を介して前記ソリューションを前記皮膚に噴射・注入しながら周辺の空気及び前記皮膚から抜け出る物質が前記吸入ポンプの駆動によって前記空気吸入流路を介して吸入されてから前記空気排出部に排出されるように構成されることを特徴とする。
【００１４】
また、好ましくは、前記シリンダー胴体は、前記シリンダー胴体の円周方向の周囲に装着される第１シーリング部材及び第２シーリング部材と、前記第１シーリング部材と第２シーリング部材との間に形成される溝部と、前記溝部に形成され、前記内部シリンダーの中空内部と連通するように形成される少なくとも一つの連通ホールとを含み、前記チップモジュールが前記着脱ホールに装着されたとき、前記第１シーリング部材及び第２シーリング部材によって密閉され、前記ソリューション流入部が前記溝部と連通することによって、前記ソリューション流入部を介して流入するソリューションが、前記溝部から前記連通ホールを介して前記内部シリンダーの中空内部の前記ソリューション注入流路に流入するように構成されることを特徴とする。
【００１５】
また、好ましくは、前記シリンダー胴体は、前記チップモジュールが前記着脱ホールに装着されたとき、前記着脱ホールの外部に露出する露出部と、前記露出部の端部に内側段差を有して形成される段差部とを含み、前記内部シリンダーの端部と前記段差部との間に長さ方向に沿って前記空気吸入流路が形成され、前記皮膚に前記露出部の端部が接触し、前記吸入ポンプの駆動によって前記空気吸入流路を介して空気が吸入されることによって前記段差部に陰圧が形成され、前記皮膚が前記陰圧によって引っ張られながら前記内部シリンダーの端部及び前記ソリューション噴射部に密着するように構成されることを特徴とする。
【００１６】
また、好ましくは、前記ソリューション噴射部は、前記ソリューション注入流路を塞ぐように前記内部シリンダーの端部に圧入される圧入部材を含み、前記圧入部材の長さ方向に沿って少なくとも一つの溝として形成される注入溝部を備えており、前記ソリューション注入流路で流動するソリューションが、前記圧入部材の注入溝部を介して外部に噴射されるように構成されることを特徴とする。
【００１７】
また、好ましくは、前記ソリューション噴射部は、少なくとも一つの噴射ホールを形成し、前記内部シリンダーの端部に結合され、前記ソリューション注入流路で流動するソリューションを前記噴射ホールを介して外部に噴射させる結合キャップを含むことを特徴とする。
【００１８】
また、好ましくは、前記内部シリンダーは、その端部が閉鎖されるように構成され、前記ソリューション噴射部は、前記内部シリンダーの閉鎖された端部に形成される少なくとも一つの噴射ホールを含み、前記ソリューション注入流路で流動するソリューションが前記噴射ホールを介して外部に噴射されるように構成されることを特徴とする。
【００１９】
また、好ましくは、前記胴体部の他側に備えられ、駆動軸を回転させる駆動モーターと、前記駆動軸に結合され、前記駆動軸と共に回転し、その端部に前記チップモジュールが結合される軸結合部とを含み、前記駆動モーターの駆動により、前記駆動軸によって前記軸結合部が回転しながら前記軸結合部に結合された前記チップモジュールを回転させ、前記チップモジュールの端部が皮膚に接触した状態で前記チップモジュールが回転しながら前記ソリューション流入部を介して流入するソリューションが、前記溝部から前記連通ホールを介して前記ソリューション注入流路に流入し、前記ソリューション噴射部を介して前記皮膚に噴射・注入されるように構成されることを特徴とする。
【００２０】
また、好ましくは、前記内部シリンダーの端部及び前記ソリューション噴射部の端部のうち少なくとも一つに形成され、前記チップモジュールの回転と共に前記皮膚の角質と摩擦を起こし、前記角質を剥がせる摩擦表面をさらに含むことを特徴とする。
【発明の効果】
【００２１】
本発明の一実施例に係る皮膚美容装置のハンドピースは、皮膚にチップモジュールを接触させながらソリューションを噴射すると同時に、周辺の空気及び皮膚から抜け出る老廃物などの物質を吸入させ、痛み及び傷跡などを誘発するニードルを用いなくても、所定のソリューションを用いて皮膚に対する洗浄や皮膚改善などの効果が得られるようにする。
【００２２】
また、本発明の一実施例に係る皮膚美容装置のハンドピースは、皮膚に対するソリューションの噴射・注入がさらに効果的に行われ、皮膚改善効果をさらに増大させるように皮膚に接触するチップモジュールを回転させながらも、その回転するチップモジュールを介してソリューションが安定的に噴射できるようにする。
【図面の簡単な説明】
【００２３】
【図１】本発明の一実施例に係る皮膚美容装置のハンドピースの主要構成について示した側断面図である。
【図２】図１に示したハンドピースに用いられるチップモジュールに対する一例の構成を示した図である。
【図３】図１に示したハンドピースの動作として、空気の吸入によって空気吸入流路を介して外部の空気が吸入され、皮膚が陰圧によって引っ張られる状態を示す図である。
【図４】図１に示したハンドピースの動作として、駆動モーターの動作によってチップモジュールが回転する場合におけるソリューションの流入および噴射に関して示す図である。
【図５】本発明の他の実施例に係る皮膚美容装置のハンドピースについて説明するための図である。
【図６】本発明の他の実施例に係る皮膚美容装置のハンドピースについて説明するための図である。
【図７】本発明の他の実施例に係る皮膚美容装置のハンドピースについて説明するための図である。
【発明を実施するための形態】
【００２４】
以下、本発明の目的が具体的に実現され得る本発明の好適な実施例を添付の図面を参照して説明する。本実施例を説明するにおいて、同一の構成については同一の名称及び符号を付し、これによる付加的な説明は省略する。まず、図１及び図２を参考にして本発明の好適な実施例による構成及び作用を説明する。
【００２５】
図１は、本発明の一実施例に係る皮膚美容装置のハンドピースの主要構成について示した側断面図で、図２は、図１に示したハンドピースに用いられるチップモジュールに対する一例の構成を示した図である。
【００２６】
図１に示したように、本発明の一実施例に係る皮膚美容装置のハンドピースは、基本的に、前記ハンドピースの外部ケース（図示せず）の内部に設置される胴体部２１０と、前記胴体部２１０の一側に着脱可能に装着されるチップモジュール１００とを含んで構成される。
【００２７】
前記胴体部２１０は、一側に着脱ホール２１２を備えており、前記着脱ホール２１２と連通するソリューション流入部２１４及び空気排出部２１６を形成するように構成され得る。
【００２８】
そして、前記チップモジュール１００は、前記胴体部２１０の着脱ホール２１２に着脱可能に装着されるが、被施術者の皮膚に接触して作動し、使い捨て（ｄｉｓｐｏｓａｂｌｅ）、すなわち、一人の被施術者に対して使用した後、他の被施術者に施術するときは、該当のチップモジュールを除去し、新しいチップモジュールを再度取り付けて使用するように構成されるものである。
【００２９】
前記チップモジュール１００は、前記着脱ホール２１２に着脱可能に装着されるシリンダー胴体１１０と、前記シリンダー胴体１１０の内部に中空内部を有する内部シリンダ１３０とを備えるように構成され得る。
【００３０】
前記チップモジュール１００が前記着脱ホール２１２に装着されたとき、前記内部シリンダー１３０の中空内部が前記胴体部２１０のソリューション流入部２１４と連通するように構成され、前記内部シリンダー１３０の中空内部が、前記ソリューション流入部２１４から流入するソリューションが流動するソリューション注入流路Ｆ１として形成されることが好ましい。
【００３１】
ここで、前記ソリューションは、液体又は気体状態の薬物であって、皮膚の毛穴などを介して内部に注入され、毛穴内の老廃物を除去したり、皮膚を改善するのに有用な作用をするものであって、薬物が圧縮空気と混合された状態のものを意味する場合もある。
【００３２】
図面に示していないが、前記胴体部２１０のソリューション流入部２１４は、外部のソリューション供給源（図示せず）とチューブや管などで連結され、前記ソリューション供給源からチューブや管を介して前記ソリューション流入部２１４に予め準備された所定のソリューションが供給されてからチップモジュールに流入できるように構成されることが好ましい。
【００３３】
また、前記胴体部２１０の空気排出部２１６は、外部の吸入ポンプ（図示せず）と連結され、前記吸入ポンプの動作によってチップモジュール１００から空気が吸入され、前記空気排出部２１６を介して前記吸入ポンプ側に空気が吸い込まれるように構成されることが好ましい。
【００３４】
一方、上述したように、前記チップモジュール１００が前記着脱ホール２１２に装着されたとき、前記ソリューション流入部２１４に流入するソリューションが前記ソリューション注入流路Ｆ１に流入すると共に、外部の吸入ポンプの駆動によって前記シリンダー胴体１１０と前記内部シリンダ１３０との間に空気が流動しながら前記空気排出部２１６に排出されるようにする空気吸入流路Ｆ２が形成されるように構成されることが好ましい。
【００３５】
そして、チップモジュール１００は、内部シリンダ１３０の端部に備えられ、前記ソリューション注入流路Ｆ１を流動するソリューションを外部に噴射させるソリューション噴射部を含む。
【００３６】
ここで、前記ソリューション噴射部は、多様な例として具現され得るが、図１及び図２では、その一例として、圧入部材１５０について示している。
【００３７】
前記圧入部材１５０については、図２でより具体的に示している。
【００３８】
図１及び図２に示したように、前記ソリューション噴射部としての圧入部材１５０は、前記ソリューション注入流路Ｆ１を塞ぐように前記内部シリンダー１３０の端部に圧入され、前記圧入部材１５０の長さ方向に沿って少なくとも一つの溝として形成される注入溝部１５８を備えており、前記ソリューション注入流路Ｆ１で流動するソリューションが前記圧入部材１５０の注入溝部１５８を介して外部に噴射されるように構成することができる。
【００３９】
すなわち、前記圧入部材１５０と内部シリンダー１３０との間には、注入溝部１５８によってソリューションが外部に噴射され得る小さいホールが形成される。
【００４０】
したがって、前記チップモジュール１００の端部が皮膚に接触し、前記圧入部材１５０の注入溝部１５８を介してソリューションを前記皮膚に噴射・注入しながら周辺の空気及び前記皮膚から抜け出る老廃物などの物質が、外部の吸入ポンプの駆動によって前記空気吸入流路Ｆ２を介して吸入されてから前記空気排出部２１６に排出されるように構成することができる。
【００４１】
このように皮膚の毛穴などを介してソリューションの噴射・注入が行われると同時に、前記皮膚にソリューションが注入されることによって、老廃物などの物質が出ることを効果的に吸入・排出し、その結果、皮膚に対する洗浄はもちろん、皮膚美容の効果を具現することができる。
【００４２】
一方、前記チップモジュール１００のシリンダー胴体１１０は、図１及び図２に示したように、前記シリンダー胴体１１０の圧入部材１５０が圧入される反対側から円周方向の周囲に装着される第１シーリング部材１１１ａ及び第２シーリング部材１１１ｂと、前記第１シーリング部材１１１ａと第２シーリング部材１１１ｂとの間に形成される溝部１１３と、前記溝部１１３に形成され、前記内部シリンダ１３０の中空内部と連通するように形成される少なくとも一つの連通ホール１１２とを含むように構成されることが好ましい。
【００４３】
したがって、図１及び図２に示したように、前記チップモジュール１００が胴体部２１０の着脱ホール２１２に装着されたとき、前記第１シーリング部材１１１ａ及び第２シーリング部材１１１ｂによって密閉され、胴体部２１０のソリューション流入部２１４が前記溝部１１３と連通することによって、前記ソリューション流入部２１４を介して流入するソリューションが前記溝部１１３に充填されながら、連通ホール１１２を介して前記内部シリンダ１３０の中空内部のソリューション注入流路Ｆ１に流入するように構成することができる。
【００４４】
このように第１シーリング部材１１１ａ及び第２シーリング部材１１１ｂで溝部１１３が密閉され、ソリューション流入部２１４に対してのみ連通可能にすることによって、後述する「チップモジュール１００の回転」によっても、ソリューション流入部２１４を介して流入するソリューションが溝部１１３から連通ホール１１２を介してソリューション注入流路Ｆ１に安定的に流入できるように構成することができる。
【００４５】
一方、図１では説明していない駆動モーター４００及びこれと連結された各部分に関しては、図３及び図４を参照して説明する。
【００４６】
図３及び図４では、図１に示した構成の本発明の一実施例に係る皮膚美容装置のハンドピースの動作について示している。
【００４７】
図３に示したように、チップモジュール１００のシリンダー胴体１１０は、チップモジュール１００が着脱ホール２１２に装着されたとき、前記着脱ホール２１２の外部に露出するように外径をより大きくして形成される露出部１１０ａと、前記露出部の端部１１０ｂに内側段差を有して形成される段差部１１０ｃとを含むように構成されることが好ましい。
【００４８】
前記のように露出部の端部１１０ｂに対する段差部１１０ｃを形成することによって、図３に示したように、内部シリンダ１３０の端部と前記段差部１１０ｃとの間に長さ方向に沿って空気吸入流路Ｆ２が形成されているが、皮膚に露出部の端部１１０ｂが接触し、外部の吸入ポンプ（図示せず）の駆動によって前記空気吸入流路Ｆ２を介して空気が吸入されることによって、前記段差部１１０ｃに陰圧が形成され、皮膚が前記陰圧によって引っ張られながら内部シリンダー１３０の端部およびソリューション噴射部（圧入部材１５０）の端部に密着するように構成することができる。
【００４９】
前記のように空気吸入流路Ｆ２を介して空気が吸入されることによって、段差部１１０ｃに形成される陰圧が皮膚を引っ張りながら皮膚の毛穴が拡張され、ソリューション噴射部（圧入部材１５０）を介して噴射・注入されるソリューションが皮膚の毛穴中にさらによく浸透できるようになるので好ましい。
【００５０】
一方、本発明の一実施例に係る皮膚美容装置のハンドピースは、前記のようなチップモジュール１００がモーターによって回転しながらソリューションの噴射及び空気の吸入を行うことができる。
【００５１】
チップモジュール１００が回転しながら前記のようなソリューションの噴射及び空気の吸入を行うと、ソリューションが皮膚に均一に注入されるだけでなく、さらに効果的に注入され得る。
【００５２】
図４は、前記のようにチップモジュール１００が回転する場合について示している。
【００５３】
図４に示したように、本発明の一実施例に係る皮膚美容装置のハンドピースは、胴体部２１０のチップモジュール１００が装着される着脱ホール２１２の後側に備えられ、駆動軸４１０を回転させる駆動モーター４００と、前記駆動軸４１０に結合され、駆動軸４１０と共に回転し、その端部に前記チップモジュール１００が結合される軸結合部４２０とを含むように構成されることが好ましい。
【００５４】
図４に示したように、駆動モーター４００の駆動により、駆動軸４１０によって軸結合部４２０が回転しながら前記軸結合部４２０に結合された前記チップモジュール１００が回転し、前記チップモジュール１００の端部が皮膚に接触した状態で空気吸入流路Ｆ２を介した陰圧で皮膚が段差部１１０ｃに引っ張られながら前記チップモジュール１００が回転し、ソリューション流入部２１４を介して流入するソリューションが前記溝部１１３から連通ホール１１２を介してソリューション注入流路Ｆ１に流入してからソリューション噴射部（圧入部材１５０）を介して皮膚に噴射・注入されるように構成することができる。
【００５５】
このとき、皮膚の老廃物などは、空気と共に吸入され、空気吸入流路Ｆ２を介してチップモジュール１００の後端部側の空気空間部ＡＣに流入し、前記空気空間部ＡＣに流入する空気は、外部の吸入ポンプによって空気排出部２１６を介して外部に排出され得る。
【００５６】
図４に示したように、前記軸結合部４２０の端部にはチップ結合部４２２が形成され、前記チップモジュール１００の後端には前記チップ結合部４２２と結合できる結合部１３４が形成されるように構成することによって、チップモジュール１００を着脱ホール２１２に挿入し、前記チップ結合部４２２に前記結合部１３４が結合され、その結果、前記チップモジュール１００が駆動軸４１０及び軸結合部４２０によって回転するように構成することができる。
【００５７】
一方、図５乃至図７を参照して本発明の他の実施例に係る皮膚美容装置のハンドピースについて説明する。図５乃至図７で説明する各実施例は、本発明に用いられるチップモジュール部分が上述した実施例に係るチップモジュールと異なっている。以下では、上述した部分と異なる部分を中心に説明し、既に説明した部分についての説明は省略する。
【００５８】
まず、図５を参照すると、本実施例は、内部シリンダ１３０の端部１３０ａに、チップモジュール１００の回転により、皮膚の角質と摩擦を起こし、前記角質を剥がせる摩擦表面Ａ１又はＡ２が形成される場合を示す。
【００５９】
前記摩擦表面は、内部シリンダーの端部１３０ａに形成されてもよいが、ソリューション噴射部（上述した圧入部材１５０はもちろん、後述する「内部シリンダーの閉鎖された端部」及び「結合キャップ」を全て含む）に形成されてもよく、二つの部分に全て形成されてもよい。二つの部分は両方とも皮膚に接触する部分であるので、摩擦表面を形成し、皮膚の角質を剥がしながら、上述したようにソリューションの噴射・注入が行われるようにし、ソリューションの注入がさらに効果的に行われるように構成することができる。
【００６０】
このような摩擦表面の一例として、図５に示したように、エンボス部Ａ１が形成されてもよく、鋸歯状部Ａ２が形成されてもよい。
【００６１】
一方、図６を参照すると、本実施例において、チップモジュール１００は、内部シリンダ１３１の端部が閉鎖されるように構成されることを特徴とし、ソリューション噴射部は、前記内部シリンダー１３１の閉鎖された端部に形成される少なくとも一つの噴射ホールＮｈ１として具現される。
【００６２】
すなわち、上述したように、ソリューション噴射部は、圧入部材の代わりに、内部シリンダー自体の端部が閉鎖されるように構成し、その閉鎖された端部には、ソリューションが噴射できるように小さいホールを穿孔する。
【００６３】
本実施例によると、ソリューション注入流路Ｆ１で流動するソリューションは、前記噴射ホールＮｈ１を介して外部に噴射されるように動作するようになる。
【００６４】
一方、図７を参照すると、本実施例において、チップモジュール１００は、内部シリンダー１３２が結合キャップ１３３と結合されて構成され、前記結合キャップ１３３は、図７に示したように着脱可能に結合され得る。
【００６５】
前記結合キャップ１３３の端部には少なくとも一つの噴射ホールＮｈ２が形成され、ソリューション注入流路Ｆ１で流動するソリューションが前記噴射ホールＮｈ２を介して外部に噴射されるように動作するようになる。
【００６６】
以上説明したように、本発明の一実施例に係る皮膚美容装置のハンドピースは、ニードレス（Ｎｅｅｄｌｅｓｓ）方式で皮膚の毛穴などを介してソリューションの噴射・注入が行われるように構成すると同時に、皮膚にソリューションが注入されることによって、老廃物などの物質が出ることを効果的に吸入・排出し、その結果、皮膚に対する洗浄はもちろん、皮膚美容の効果を具現できるという特長を有する。
【００６７】
さらに、本発明は、駆動モーターの駆動によってチップモジュールを回転させながら、前記のようなソリューションの噴射・注入及び空気の吸入が行われるように構成できるので、さらに効果的な皮膚洗浄及び皮膚改善が可能になるという特長を有する。
【産業上の利用可能性】
【００６８】
本発明に係る皮膚美容装置のハンドピースは、被施術者の皮膚にニードルを挿入することなく、皮膚に接触しながら所定のソリューションを噴射・注入することによって、皮膚の洗浄及び皮膚の改善を可能にする皮膚美容と関連した分野で産業上の利用可能性を有する。
【図１】
2019515760.tif 000003
【図２】
2019515760.tif 000004
【図３】
2019515760.tif 000005
【図４】
2019515760.tif 000006
【図５】
2019515760.tif 000007
【図６】
2019515760.tif 000008
【図７】
2019515760.tif 000009
【国際調査報告】
2019515760.tif 000010
2019515760.tif 000011
2019515760.tif 000012
2019515760.tif 000013